(57)【要約】【課題】光ディスク装置のカートリッジ及び誤消去防止の有無検出機構を提供する。【解決手段】トレイ２１にはカートリッジの有無と誤消去防止設定の有無を検出する検出部材である検出レバー２２が配設されている。検出レバー２２には、カートリッジ検出突起２２ａと、誤消去防止検出突起２２ｂが形成されている。カートリッジ検出あるいは誤消去防止検出の各検出モードに応じて光ディスク装置１０本体側に配設されている検出スイッチ１１を動作させる位置にスイッチ起動部２２ｃが形成されている。【選択図】図１
2006127655.tif 000002
【特許請求の範囲】
【請求項１】
情報記録媒体を載置してロード・アンロード動作を行うトレイと、
前記トレイをロード・アンロード駆動するモータと、
前記トレイに載置した情報記録媒体の収納容器への装填の有無を検出する収納容器検出部と、前記収納容器の誤消去防止設定状態を検出する誤消去防止検出部と、
前記収納容器検出部及び／または前記誤消去防止検出部の各検出モードに応じて光ディスク装置本体側の検出スイッチを動作させるスイッチ起動部とを有し、前記トレイに設けられた検出部材と、
前記光ディスク装置本体側に、前記トレイのロード時に、
前記スイッチ起動部の状態に連携して前記収納容器の有無を検出し、前記光ディスク装置本体の制御部へ検出信号を送る第１の検出スイッチと、
前記スイッチ起動部の状態に連携して誤消去防止の設定の有無を検出し、前記制御部へ検出信号を送る第２の検出スイッチとが配設されたことを特徴とする光ディスク装置。
【請求項２】
前記検出部材のスイッチ起動部は、前記収納容器検出部が前記収納容器を検出しない時には前記第１の検出スイッチをＯＮ状態とし、前記収納容器検出部が前記収納容器を検出し且つ前記誤消去防止検出部が誤消去防止の設定を検出した時には前記第１の検出スイッチ及び前記第２の検出スイッチをそれぞれＯＦＦ状態にし、前記誤消去防止検出部が誤消去防止の設定を検出しない時には前記第２の検出スイッチをＯＮ状態にすることを特徴とする請求項１記載の光ディスク装置。
【請求項３】
前記検出部材は、バネで付勢されていることを特徴とする請求項１記載の光ディスク装置。
【請求項４】
情報記録媒体を載置してロード・アンロード動作を行うトレイと、
前記トレイをロード・アンロード駆動するモータと、
前記トレイに前記情報記録媒体が収納容器に収納された状態で載置された場合に、前記収納容器の誤消去防止設定状態を検出する誤消去防止検出部と、この誤消去防止検出部の動作に応じて光ディスク装置本体側の検出スイッチを動作させるスイッチ起動部とを形成した検出部材と、
前記光ディスク装置本体側に、前記トレイのロード時に、前記スイッチ起動部の状態に係合して誤消去防止の設定の有無を検出し、前記光ディスク装置本体の制御部へ検出信号を送る検出スイッチとが配設されたことを特徴とする光ディスク装置。
【発明の詳細な説明】
【技術分野】
【０００１】
本発明は、光ディスク装置に関し、特にトレイロ一ディング機構及び誤消去防止検出機構を備えた光ディスク装置に関する。
【背景技術】
【０００２】
従来、情報記録媒体を収納容器であるカートリッジに収納したカートリッジ対応の光ディスク装置では、装置本体側にカートリッジ検出及び誤消去防止検出のためのそれぞれのスイッチと検出介在部品を備え、トレイロ一ディング後に検出介在部品による検出動作を行いカートリッジの有無及び誤消去防止の有無を検出していた。
【０００３】
また、トレイ上へのカートリッジ載置の有無を検出するカートリッジ検出センサを設け、カートリッジをローディングする際の操作性を改善した光ディスク装置が提案されている（例えば、特許文献１参照。）。
【特許文献１】特開平１１−２３２７４８号公報
【発明の開示】
【発明が解決しようとする課題】
【０００４】
光ディスク装置本体側にカートリッジ検出手段及び誤消去防止検出手段を設けている装置では、検出するための各種部品を、カートリッジを載置するトレイのローディング動作時には退避し、クランプ動作時にカートリッジ検出位置まで侵入させる必要がある。このため、駆動機構が複雑となり、またカートリッジ有無検出及び誤消去防止有無検出のための部品点数も多くなるという問題があった。
【０００５】
また特許文献１に開示の装置では、媒体の直径以上にスライドするトレイから装置本体ヘカートリッジ検出信号を送る信号線を設けるため、からみ・断線への配慮から、例えばフレキシブル・フラット・ケーブル（ＦＦＣ）等が必要で、コストが増大し、またローディング繰り返しに対する信頼性に劣る、という問題があった。
【０００６】
本発明は、上記した問題点を解決するために提案されたものであり、部品点数の低減と機構の簡素化を図り、機構動作の安定性確保と信頼性の向上を図ることを目的とする。
【課題を解決するための手段】
【０００７】
本発明の一態様によれば、情報記録媒体を載置してロード・アンロード動作を行うトレイと、トレイをロード・アンロード駆動するモータと、トレイに載置した情報記録媒体が収納容器への装填の有無を検出する収納容器検出部、収納容器の誤消去防止設定状態を検出する誤消去防止検出部、これら収納容器検出部及び／または誤消去防止検出部の各検出モードに応じて光ディスク装置本体側の検出スイッチを動作させるスイッチ起動部を形成した検出部材と、光ディスク記録再生装置本体側に、トレイのロード時に、前記スイッチ起動部の状態に連携して前記収納容器の有無を検出し、光ディスク装置本体の制御部へ検出信号を送る第１の検出スイッチと、前記スイッチ起動部の状態に連携して誤消去防止の設定の有無を検出し、光ディスク装置本体の制御部へ検出信号を送る第２の検出スイッチが配設されたことを特徴とする光ディスク装置が提供される。
【０００８】
また、本発明の別の一態様によれば、情報記録媒体を載置してロード・アンロード動作を行うトレイと、トレイをロード・アンロード駆動するモータと、トレイに情報記録媒体が収納容器に収納された状態で載置された場合に、収納容器の誤消去防止設定状態を検出する誤消去防止検出部及びこの誤消去防止検出部の動作に応じて光ディスク装置本体側の検出スイッチを動作させるスイッチ起動部を形成した検出部材と、光ディスク装置本体側に、トレイのロード時に、前記スイッチ起動部の状態に係合して誤消去防止の設定の有無を検出し、光ディスク装置本体の制御部へ検出信号を送る検出スイッチとが配設されたことを特徴とする光ディスク装置が提供される。
【発明の効果】
【０００９】
本発明によれば、部品点数の削減及びコストダウンが図られ、トレイ側の検出部材と、装置本体側の検出スイッチを分離してそれぞれトレイ及び装置本体に固定しているので検出の信頼性が確保できる。さらに、検出動作の信頼性が向上する。
【発明を実施するための最良の形態】
【００１０】
以下、本発明の実施の形態について、図面を参照しながら説明する。尚、各図において同一箇所については同一の符号を付すとともに、重複した説明は省略する。
【００１１】
図１は、本発明の実施形態に係る光ディスク装置のトレイローディング機構の全体構成を示した斜視図である。図１において、光ディスク装置１０のトレイローディング機構２０は、光ディスクを、光ディスクカートリッジ（以下、カートリッジという。）に収納した状態で、またはベアディスクの状態で載置してロード・アンロード動作を行うトレイ２１と、トレイ２１のロード・アンロード駆動を行うモータ（図示しない）と、トレイ２１をアンロード動作させるイジェクトスイッチ（図示しない）から構成され、さらにトレイ２１の裏面にはカートリッジの有無と誤消去防止設定の有無を検出する検出部材である検出レバー２２がその詳細を図２に示すように配設されている。
【００１２】
検出レバー２２には、カートリッジ検出部となるカートリッジ検出突起２２ａと、誤消去防止検出部となる誤消去防止検出突起２２ｂが形成されている。カートリッジ検出突起２２ａは、トレイ２１表面に搭載されたカートリッジの筐体に係合する位置に配設され、誤消去防止検出突起２２ｂは、トレイ２１に搭載されたカートリッジの誤消去判別孔に係合する位置に配設されている。なお、誤消去防止判別孔は、検出時、すなわち、ユーザによって誤消去防止の設定がされていないときは、閉じている。
【００１３】
さらに、検出レバー２２には、両検出突起２２ａ、２２ｂが形成された一端部と略平行に離間した他端に、カートリッジ検出あるいは誤消去防止検出の各検出モードに応じて光ディスク装置１０本体側に配設されている図１の検出スイッチ１１を動作させる位置にスイッチ起動部２２ｃが形成されている。また、第2図に示すようにトレイ２１裏面側において、検出レバー２２は検出レバー付勢バネ２３により回転付勢されている。したがって、カートリッジ３０を検出しないときに、検出レバー２２のカートリッジ検出突起２２ａは、記録媒体の上面方向に回転付勢されている。このように、検出レバー２２は、トレイ２１に固定されているので検出の信頼性が確保できる。
【００１４】
検出レバー２２の周囲には、例えばユーザが操作時に誤って触れることのないように、保護するためのガード部材２４が形成されている。
【００１５】
検出レバー２２は、例えば耐疲労性、弾性回復性、バネ特性の良好なポリアセタール樹脂で成形して形成すると好適である。  
次に、作用について述べる。図３は、本発明の実施形態に係るトレイローディング機構の側面図である。図３に示すように、光ディスク装置１０のトレイ２１にカートリッジ３０を搭載し、トレイ２１がロード動作されると、トレイ２１は光ディスク装置１０本体に進入する。そして、カートリッジの有無、誤消去防止有無に応じて、検出レバー２２のスイッチ起動部２２ｃが装置本体に設けられた検出スイッチ１１の各検出スイッチ部を動作させて必要な検出を行う。
【００１６】
図４は、本発明の実施形態に係るトレイローディング機構の正面動作を示している。図４（ａ）は、記録媒体がカートリッジに装填されないタイプのベアディスクが搭載された場合を表している。検出レバー２２は、図４（ａ）に示す矢印の方向に回転付勢されている。この場合、スイッチ起動部２２ｃは、第１の検出スイッチ部１１ａを押圧するため、第１の検出スイッチ部１１ａはＯＮ、第２の検出スイッチ部１１ｂはＯＦＦとなっている。したがって、この場合の検出モードは、カートリッジ無しとなる。
【００１７】
次に、図４（ｂ）に示す状態は、記録媒体がカートリッジ３０に装填されており、且つ誤消去防止判別孔が開いている場合を表している。この場合、カートリッジ検出突起２２ａはカートリッジ３０により押圧され、且つ誤消去防止検出突起２２ｂは、カートリッジ３０の誤消去判別孔３１に挿入した状態となる。これにより、検出レバー２２は、左右のどちらにも傾いていない姿勢で、スイッチ起動部２２ｃは、第１の検出スイッチ部１１ａと第２の検出スイッチ部１１ｂの中間に位置する。そのため、第１の検出スイッチ部１１ａはＯＦＦ、第２の検出スイッチ部１１ｂもＯＦＦとなっている。したがって、この場合の検出モードは、カートリッジ有り、誤消去防止有りと判定することになる。
【００１８】
次に、図４（ｃ）に示す状態は、記録媒体がカートリッジ３０に装填されており、誤消去防止判別孔が閉じている場合を表している。検出レバー２２は、図４（ｂ）に示す姿勢と異なり、カートリッジ検出突起２２ａより長い突起を有する誤消去防止検出突起２２ｂがカートリッジ３０により押圧され、検出レバー付勢バネに抗して図において反時計回りに回転付勢された姿勢で、スイッチ起動部２２ｃは、第２の検出スイッチ部１１ｂを押圧する。そのため第１の検出スイッチ部１１ａはＯＦＦ、第２の検出スイッチ１１ｂはＯＮとなっている。したがって、この場合の検出モードは、カートリッジ有り、誤消去防止無し、と判定することになる。
【００１９】
以上、説明したように、トレイ側に1個の検出レバーを設け、装置本体側における検出手段の退避・進入機構を省いて、カートリッジ有無・誤消去防止有無を検出できるように構成している。
【００２０】
次に、図５により、本発明の別の実施形態について説明する。本実施形態では、カートリッジの有無を検出することなく、誤消去防止の設定の有無を検出するものである。
【００２１】
現在、DVD-R/RW/RAM等の複数の記録媒体に対応したDVDマルチドライブが市場に提供されている。市場においては、例えばカートリッジ付きDVD-RAMあるいはカートリッジを使用しないベアディスクのDVD-RAMも存在している。そのため、もともとカートリッジに装填されていないDVD-RAMを使用するかあるいはカートリッジからDVD-RAM取り出して使用するカートリッジ非対応の光ディスク装置も多く存在する。一方では、記録媒体そのものを取り出し可能なDVD-RAM カートリッジの中には、DVD-ROMあるいはCD等の他の記録媒体を装填できるものもある。これらの状況から、市場においてはカートリッジの有無を検出する必要性がさほど無いことになる。したがって、唯一カートリッジ使用に際して、検出しなければならないのは、例えばVTRカセットと同様、ユーザが意図的に記録を禁止した誤消去防止の設定の有無である。
【００２２】
図５は、本発明の別の実施形態に係るトレイローディング機構の正面動作を示している。図５において、検出レバー２２の構成及び動作は図４の場合と同じであるが、装置本体側の検出スイッチ１１は検出スイッチ部が一つだけの構成である。
【００２３】
図５（ａ）は、記録媒体がカートリッジに装填されないタイプのベアディスクが搭載された場合を表している。検出レバー２２は、図５（ａ）に示すように図中、時計方向に回転付勢されている。この場合、検出スイッチ１１はＯＦＦとなっている。したがって、この場合の検出モードは、誤消去防止の設定無し、と判定することになる。
【００２４】
次に、図５（ｂ）に示す状態は、記録媒体がカートリッジ３０に装填されており、誤消去防止判別孔が開いている場合を表している。検出レバー２２は、左右のどちらにも傾いていない姿勢で、このときに検出スイッチ１１がＯＮとなるように検出スイッチ１１を配置している。したがって、この場合の検出モードは、誤消去防止設定有りと判定することになる。
【００２５】
次に、図５（ｃ）に示す状態は、記録媒体がカートリッジ３０に装填されており、誤消去防止判別孔が閉じている場合を表している。検出レバー２２は、図５（ｂ）に示す姿勢と異なり、図において反時計回りに回転付勢された姿勢で、検出スイッチ１１はＯＦＦとなっている。したがって、この場合の検出モードは、誤消去防止設定無し、と判定することになる。
【００２６】
以上説明したように、本実施の形態では、光ディスク装置本体側に検出スイッチ１個を配設し、誤消去防止の設定の有無を的確に識別することができる。
【００２７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２８】
【図１】本発明の実施形態に係る光ディスク装置のトレイローディング機構の斜視図である。
【図２】本発明の実施形態に係る検出レバー部の詳細を示す説明図である。
【図３】本発明の実施形態に係るトレイローディング機構の側面図である。
【図４】本発明の実施形態に係るトレイローディング機構の正面動作を示す説明図である。
【図５】本発明の他の実施形態に係るトレイローディング機構の構成例を示す説明図である。
【符号の説明】
【００２９】
１０・・・光ディスク装置、１１・・・検出スイッチ、２０・・・トレイローディング機構、２１・・・トレイ、２２・・・検出レバー、２３・・・付勢バネ、２４・・・ガード部材、３０・・・カートリッジ、３１・・・誤消去防止判別孔。
【図１】
2006127655.tif 000003
【図２】
2006127655.tif 000004
【図３】
2006127655.tif 000005
【図４】
2006127655.tif 000006
【図５】
2006127655.tif 000007